(57)【特許請求の範囲】
【請求項１】
間隙を挟んで隣接した躯体間にカバー体を掛け渡して両躯体を接合し、躯体間相互の変動に追随して間隙がカバー体で覆われるように構成されたエキスパンションジョイントにおいて、
前記カバー体は、一側の躯体に取り付けられた中空箱状の収納体を構成するカバー材と、他側の躯体に取り付けられた中空箱状の収納体を構成するカバー材と、両カバー材の対向端部に連結され、両収納体内を摺動し得るように設けたカバー材とを備え、且つカバー材が、一収納体内に収納されて重ね合わせ可能に構成されていることを特徴とするエキスパンションジョイント。
【発明の詳細な説明】
【０００１】
【発明の属する技術分野】
本発明は、躯体間の接合部の間隙を覆い、躯体間隙の変動を吸収するエキスパンションジョイントに関する。
【０００２】
【従来の技術】
図５に従来のエキスパンションジョイントの一例を示す。これは、間隙Ｃを挟んで隣接した躯体Ａと躯体Ｂの継ぎ目に設置されており、躯体Ａにベース材５０でカバー材５１が支持され、躯体Ｂにはカバー材５２の端部が片持ち式に支持され、カバー材５２の他端部をベース材５０とカバー材５１の間に挿通させて間隙Ｃをカバー材５２で覆い、躯体間隙の変位に伴いカバー材５２がカバー材５１の下面に沿ってスライドすることで躯体間相互の変動を吸収するように構成されている。
このようなエキスパンションジョイントは、一般に、施工時の間隙Ｃの幅ｄに対して最大２倍に拡幅した場合でも躯体間の変位を吸収できる構造となっており、エキスパンションジョイント全体では取り付けに必要な寸法として、前記幅ｄの３倍以上の幅を必要としていた。
【０００３】
【発明が解決しようとする課題】
近時、地震等による建物の変位を吸収するために設けられた躯体間隙は、建物の高層化や免震構造の採用等に伴い従来よりも広く設けられており、そのためエキスパンションジョイントも大型のカバー材を具備した大きな可動範囲を有する構造のものが要求されている。しかしながら、建物によっては、通路幅や鋼製建具の設置等の制約により、広い間隙幅に対応したエキスパンションジョイントの取り付け寸法を確保できない場合もある。
【０００４】
本発明は従来技術の有するこのような問題点に鑑み、安全性や復元性にも優れたエキスパンションジョイントをコンパクトな構造とし、取り付け寸法の制約がある建物にも大きな可動範囲を有するエキスパンションジョイントを取り付けることができるようにすることを課題とする。
【０００５】
前記課題を解決するため本発明のエキスパンションジョイントは、間隙を挟んで隣接した躯体間にカバー体を掛け渡して両躯体を接合し、躯体間相互の変動に追随して間隙がカバー体で覆われるように構成されたエキスパンションジョイントにおいて、
前記カバー体は、一側の躯体に取り付けられた中空箱状の収納体を構成するカバー材と、他側の躯体に取り付けられた中空箱状の収納体を構成するカバー材と、両カバー材の対向端部に連結され、両収納体内を摺動し得るように設けたカバー材とを備え、且つカバー材が、一収納体内に収納されて重ね合わせ可能に構成されていることを特徴とする。
【０００６】
本発明のエキスパンションジョイントによれば、間隙が拡がったときは、各カバー材が連結状態を維持したまま相互に拡幅方向にスライドしてカバー体の幅が伸長し、また、間隙が狭まったときには、各カバー材が相互に狭幅方向にスライドして互いに重ね合わさり、カバー体の幅が縮小することにより、躯体間相互の変動をそれぞれ吸収する。カバー体を少なくとも三つのカバー材によって構成することで、間隙両側の躯体に支持されるカバー材の取り付け寸法が小さくなり、他方、カバー体の可動範囲を大きく確保できる。
【０００７】
【発明の実施の形態】
本発明の好適な一実施形態を図面を参照して説明する。
図１は本発明の一例のエキスパンションジョイントが設置された躯体継ぎ目部の側面を断面で示した図、図２はエキスパンションジョイントを構成するカバー体の要部を切り欠いた分解斜視図、図３は躯体間隙が拡幅した状態の躯体継ぎ目部の側断面図、図４は躯体間隙が縮小した状態の躯体継ぎ目部の側断面図である。
【０００８】
本形態のエキスパンションジョイント１は、間隙Ｃを挟んで隣接した躯体Ａと躯体Ｂの継ぎ目に設置され、間隙Ｃの横（短手）幅及び縦（奥行き長手）幅に対応した寸法を有するカバー体２を掛け渡して躯体Ａと躯体Ｂを接合するとともに、躯体間隙の変位に追随してカバー体２が伸縮或いはスライドすることによって間隙Ｃをカバー体２で覆ったまま躯体間相互の変動を吸収するように構成されている。
【０００９】
カバー体２は、ステンレス板などの鋼板その他硬質板材を用いて形成され、躯体Ａに取り付けられるカバー材２１と、躯体Ｂに取り付けられるカバー材２２と、両カバー材の対向端部に連結されるカバー材２３とを組み合わせ、間隙Ｃの横幅方向にその長さを伸縮し得るように設けられている。
【００１０】
より詳しくは、図２に示されるように、カバー材２１は躯体Ａに定着されたベース材３１とともに中空箱状の収納体４１を、カバー材２２は躯体Ｂに支持されたベース材３２とともに中空箱状の収納体４２をそれぞれ構成し、カバー材２３は両収納体内を摺動し得るように設けてある。
【００１１】
収納体４１を構成するカバー材２１は、縦横の長さが建物施工当初の間隙Ｃの縦幅と横幅（図１中、符号Ｄ）にそれぞれ略等しい寸法を有する長尺な矩形板により形成されている。また、ベース材３１は、カバー材２１と略等しい寸法を有する矩形底面部３１ａとその長手一辺を除く周囲三辺に立ち上げた側面部３１ｂ、３１ｂ、３１ｂとにより一側の長手側面部を切除した矩形枠状に形成され、間隙Ｃに沿って躯体Ａの端部に設けられた凹段部Ａ１内にアンカーやボルトなどの固着具により定着されている。ベース材３１の側面部３１ｂが設けられていない長手辺部には逆Ｌ字形断面の係合片３１ｃが突設してある。
収納体４１は、ベース材３１の上面にカバー材２１を一体に取り付けて内部を中空とした箱状に形成され、前記カバー材２１の上面を躯体Ａと同一な面に保持し、且つベース材３１の底面部３１ａ、側面部３１ｂ、３１ｂ及びカバー材２１により画成される長尺矩形の開口を間隙Ｃに面して躯体Ａに固定されている。
【００１２】
収納体４２を構成するカバー材２２は、間隙Ｃの縦幅と略同じ長さを有する長尺な矩形板をＬ字形に折り曲げて形成されている。また、ベース材３２は、中央に切欠部３２ｃを有する底面部３２ａとその両側に立ち上げた側面部３２ｂ、３２ｂとにより、縦断面が上向きコ字形を呈する枠状に形成されている。ベース材３２の底面部３２ａ内には前記カバー材２１の係合片３１ｃが係合する突片３２ｄが突設し、側面部３２ｂ、３２ｂ内は後述のカバー材２３の切欠部２３ｄが係合する突起３２ｅが突設してある。
収納体４２は、ベース材３２の上面にカバー材２２を一体に取り付けて内部を中空とし、その縦幅と高さが前記収納体４１内に略一杯に装填し得る大きさ、その横幅が間隙Ｃの横幅（Ｄ）よりも僅かに長い大きさの箱状に形成され、躯体Ａ側に向けた開口面とは反対側の端部が躯体Ｂの上端部に固定されたガイドローラ５とカバー材６とにより挟持されて間隙Ｃ上に水平に支持されている。躯体Ｂに支持された収納体４２は、そのカバー材２２の上面が躯体Ｂと同一な面に保持され、また、ガイドローラ５により間隙Ｃの縦幅方向へ変位し得るようになっている。
【００１３】
カバー材２３は、長尺な矩形鋼板を折り曲げ、間隙Ｃの縦幅と横幅（Ｄ）にそれぞれ略等しい寸法を有する上面部２３ａとその両側に下折れした側面部２３ｂ、２３ｂとにより、収納体４２内に略一杯に装填し得る大きさを有する、縦断面が下向きコ字形の枠状に形成されている。カバー材２３の上面部２３ａの躯体Ａ側の端部には前記カバー材２１の係合片３１ｃと係合する下折れ突片２３ｃが突設してあり、また、側面部２３ｂ、２３ｂには、下折れ突片２３ｃが突設された端部側から略中間部に渡り、間隙Ｃの横幅の略１／２の長さ（Ｄ／２）の切欠部２３ｄが設けてある（図２参照）。
カバー材２３は、下折れ突片２３ｃが突設した側の端部が収納体４１内に、他側の端部が切欠部２３ｄ内に前記突起３２ｅを係入させた状態で収納体４２内にそれぞれ収納されて、カバー材２１、２２の両端に連結されている。
【００１４】
これらの部材からなる本形態のエキスパンションジョイント１は、建物施工時、図１に示されるように、躯体Ｂに支持されていてカバー材２３が収納された収納体４２の先端部分を、躯体Ａに設置された収納体４１内に挿入して両躯体間に掛け渡され、間隙Ｃをカバー体２で被覆する。このとき、間隙Ｃの幅Ｄに対し、エキスパンションジョイント全体の取り付け寸法は約２Ｄとなる。
なお、図中、符号７は躯体Ａの端部でカバー体２の下面を支持するガイド部材、８は両躯体に吊設された防火乃至止水用のシートである。
【００１５】
躯体間相互の変動に伴って間隙Ｃが施工時の２倍近くの幅に拡がった場合、図３に示されるように、両躯体に取り付けられた収納体４１、４２が拡幅方向へ変位するのに伴って、カバー材２３が両収納体内を相対スライドし、間隙Ｃが拡幅した分だけカバー体２全体の幅が伸長して躯体の変動を吸収する。
この場合、カバー材２３は下折れ突片２３ｃを係合片３１ｃに係合させて収納体４１との連結状態を維持し、また、切欠部２３ｄに突起３２ｅを係合させて収納体４２との連結状態を維持するので、間隙Ｃの幅が拡がるのに伴ってカバー材２３がスライドしたとしても、両収納体からカバー材２３が外れるようなことはない。また、図２に示された状態まで間隙Ｃが拡がったとしても、カバー材２３の横幅に対して、切欠部２３ｄ、２３ｄの長さを短く設けてあり、カバー材２３の半分以上が収納体４２内に収納されて支持されるので、カバー体２に上方から荷重がかかっても撓むようなことはない。
【００１６】
また、躯体間相互の変動に伴って間隙Ｃの幅が狭まった場合、図４に示されるように、両躯体に取り付けられた収納体４１、４２が狭幅方向へ変位するのに伴って、カバー材２３が相対スライドして収納体４２内に収納され、さらに収納体４２が収納体４１内に収納されて互いに一体に重ね合わさり、間隙Ｃが狭幅した分だけカバー体２全体の幅が縮小して躯体の変動を吸収する。
【００１７】
このように本発明のエキスパンションジョイントによれば、カバー体が三つのカバー材からなり、相互に連結状態を維持したまま摺動し、重ね合わさるように構成されているので、躯体間相互の変動が生じたときは、これらカバー材が間隙の幅の変位に追随して相互にスライドしてカバー体全体の幅を伸縮させて変動を吸収し、カバー体の可動範囲を大きく確保することができ、また、間隙両側の躯体に支持されるカバー材の取り付け寸法が小さくなり、取り付け寸法の制約のある建物にも取り付けることができる。
【００１８】
なお、以上の実施形態は一例であり、本発明のエキスパンションジョイントは建物の構造等に応じて適宜な形態に設けて構成することができる。カバー体が四つ以上のカバー材によって構成されていてもよい。
また、本発明のエキスパンションジョイントは、建物の床の取り合いの他、天井の取り合いや内壁の取り合い、各面とコーナー部との取り合いなどにも設置できるものである。
【図面の簡単な説明】
【図１】本発明の一例のエキスパンションジョイントが設置された躯体継ぎ目部の側面を断面で示した図である。
【図２】エキスパンションジョイントを構成するカバー体の要部を切り欠いた分解斜視図である。
【図３】躯体間隙が拡幅した状態の躯体継ぎ目部の側断面図である。
【図４】躯体間隙が縮小した状態の躯体継ぎ目部の側断面図である。
【図５】従来のエキスパンションジョイントが設置された躯体継ぎ目部の側面を断面で示した図である。
【符号の説明】
１    エキスパンションジョイント
２    カバー体
２１、２２、２３    カバー材
３１、３２    ベース材
４１、４２    収納体
５    ガイドローラ
６    カバー材
７    ガイド部材
８    シート
【図１】
0003607657.tif 000002
【図２】
0003607657.tif 000003
【図３】
0003607657.tif 000004
【図４】
0003607657.tif 000005
【図５】
0003607657.tif 000006